(57)【要約】【課題】電子部品のフレキシブル基板に外的応力をかけずに収納できるトレイを提供する。【解決手段】電子部品収納用トレイ（１０）は載置部（１１）と収納部（１２）とを備え、フレキシブル部材（４０）が屈曲状態であっても、伸長状態であっても、端部（３３）が収納部（１２）に接しないように収容可能な収容空間（１２２）が収納部（１２）に設けられている。【選択図】図６
2019026320.tif 000002
【特許請求の範囲】
【請求項１】
本体と、前記本体に取り付けられたフレキシブル部材とを備える電子部品を収納するための電子部品収納用トレイであって、
前記本体を載置するための載置部と、
前記本体に取り付けられたフレキシブル部材を収納するための収納部と、を備え、
前記収納部には、前記フレキシブル部材が屈曲状態であっても、伸長状態であっても、前記フレキシブル部材の端部が当該収納部に接しないように前記フレキシブル部材を収容可能な収容空間が設けられていることを特徴とする電子部品収納用トレイ。
【請求項２】
前記本体から前記収納部に向かって引き出されるフレキシブル部材を支持するために前記載置部と前記収納部との間に設けられた支持部をさらに備えることを特徴とする請求項１に記載の電子部品収納用トレイ。
【請求項３】
前記載置部には、前記本体から突出する突出部又は前記本体の角部を退避するための退避部が形成されていることを特徴とする請求項１または２に記載の電子部品収納用トレイ。
【請求項４】
前記載置部が前記本体を載置する載置面を有し、
前記本体が前記載置面側に配置される光学部材を有し、
前記載置面には、前記光学部材に対応する凹部が形成されていることを特徴とする請求項１から３の何れか１項に記載の電子部品収納用トレイ。
【発明の詳細な説明】
【技術分野】
【０００１】
本発明はトレイに関し、特にカメラモジュール等の電子部品を収納、保管して搬送する際に使用する電子部品収納用トレイに関する。
【背景技術】
【０００２】
従来、たとえば、カメラモジュール等の小さい電子部品をトレイに保管する場合、電子部品が収納されるポケットの寸法は電子部品の製品サイズに合わせて設定されている。
【０００３】
カメラモジュールは、被写体を撮像するカメラ本体部と、カメラ本体部から引き出されたフレキシブル基板との二つに大きく分別される。
【０００４】
最近は、このフレキシブル基板が斜めにカーブしていたり、一部分のみを折り曲げていたり、全体を折り曲げていたりと複雑な形状を有するフレキシブル基板を備えたカメラモジュールが多くなってきている。
【０００５】
たとえば折り曲げた状態（以下、屈曲状態と称する）のフレキシブル基板については、屈曲状態のまま搬送される場合もあり、例えば屈曲状態のまま、その形を保持するようにフレキシブル基板の端部を固定する手段を別途に設けるトレイが知られている（特許文献１を参照）。
【０００６】
図８は従来のトレイのフレキシブル基板の収納態様を示す斜視図であり、図９は従来のトレイのフレキシブル基板の他の収納態様を示す断面図である。
【０００７】
特許文献１には、図８に示すように、凹部２３にモジュール本体１、突起部２、フレキシブル基板３および端子板４からなる半導体モジュールを収容され、モジュール本体１はＵ字に曲げられたフレキシブル基板３の弾性により壁面２２ａに付勢されている構成が記載されている。また、図９に示すように、本体収容筒５０は側面にスリット５１が開設された例えば断面矩形の筒からなり、スリット５１に滑らかに挿入されたモジュール本体１は、その上下両面がスリット５１の上下面に挟持されている。本体収容筒５０が挿入、固定される外筒５５は伸びた状態（以下、伸長状態と称する）のフレキシブル基板３を収容する空間を有する構成が開示されているが、フレキシブル基板３については剛性が大きくかつ短いものが好ましいと強調している。
【先行技術文献】
【特許文献】
【０００８】
【特許文献１】特開２００６−４４７１１号公報（２００６年２月１８日公開）
【発明の概要】
【発明が解決しようとする課題】
【０００９】
しかしながら、特許文献１にはフレキシブル基板を屈曲状態または伸長状態の択一にする技術が記載されているが、両方の状態に対応できる構成が開示されていない。この点、トレイに対してさらに改善する余地があると思う。
【００１０】
また、屈曲状態のフレキシブル基板を、そのままの状態に保持するのはきわめて困難である。屈曲状態のフレキシブル基板に生じる内部応力によりフレキシブル基板がまっすぐに戻ろうとする傾向があるからである。
【００１１】
また、屈曲した状態で端部が押圧固定されたフレキシブル基板には、常に無理な応力が作用するため、フレキシブル基板が変形、ひいては破損してしまう恐れもある。
【００１２】
また、屈曲した状態のフレキシブル基板を強制的に押圧固定しようとすると、トレイの収納ポケット内に押圧固定する手段を設けなければならないという設計上の制約ができるという課題もある。
【００１３】
さらに、フレキシブル基板は、常にその形状が変更されたりすることが多いため、変更したフレキシブル基板に合わせて、再度、トレイの収納ポケットを変更したりする必要があり、変更にかかる日数のため、スケジュールの遅れや再設計用の余計な費用が発生するとの問題もあった。
【００１４】
本発明は、上記の課題を鑑みてなされたものであり、その目的は、電子部品のフレキシブル部材に外的応力をかけずに電子部品を収納し、かつ複雑な形状や任意な寸法のフレキシブル部材に共通して対応できる電子部品収納用トレイを提供することにある。
【課題を解決するための手段】
【００１５】
上記の課題を解決するため、本発明の一態様に係る電子部品収納用トレイは、本体と前記本体に取り付けられたフレキシブル部材とを備える電子部品を収納するための電子部品収納用トレイであって、前記本体を載置するための載置部と、前記本体に取り付けられたフレキシブル部材を収納するための収納部と、を備え、前記収納部には、前記フレキシブル部材が屈曲状態であっても、伸長状態であっても、前記フレキシブル部材の端部が当該収納部に接しないように前記フレキシブル部材を収容可能な収容空間が設けられている。
【発明の効果】
【００１６】
本発明の一態様に係る電子部品収納用トレイは、電子部品のフレキシブル部材に外的応力をかけずに電子部品を収納し、かつ複雑な形状や任意な寸法のフレキシブル部材に共通して対応できる。
【図面の簡単な説明】
【００１７】
【図１】（ａ）は実施形態１に係るトレイの平面図であり、（ｂ）は（ａ）に示す面ＢＢに沿った断面図であり、（ｃ）は（ａ）に示す面ＣＣに沿った断面図である。
【図２】上記トレイの拡大斜視図である。
【図３】（ａ）は上記トレイに収納されるカメラモジュールの平面図であり、（ｂ）は上記カメラモジュールのフレキシブル基板側からの斜視図であり、（ｃ）は上記カメラモジュールのレンズ側からの斜視図である。
【図４】上記トレイの拡大平面図である。
【図５】上記トレイの拡大断面図である。
【図６】上記トレイにカメラモジュールが収納されていない状態における拡大斜視図である。
【図７】実施形態２に係る上記トレイが積み重ねられた状態における断面図である。
【図８】従来のトレイのフレキシブル基板の収納態様を示す斜視図である。
【図９】従来のトレイのフレキシブル基板の他の収納態様を示す断面図である。
【発明を実施するための形態】
【００１８】
〔実施形態１〕
以下、本発明の実施形態１について、図１〜図７を用いて説明する。
【００１９】
（トレイ１０の基本構成）
図１（ａ）は実施形態に係るトレイ（電子部品収納用トレイの一例で、「トレイ」と略称する。以下同じ）１０の平面図であり、（ｂ）は（ａ）に示す面ＢＢに沿った断面図であり、（ｃ）は（ａ）に示す面ＣＣに沿った断面図である。図２はトレイ１０の拡大斜視図である。
【００２０】
トレイ１０には、図１（ａ）及び図２に示すように、マトリックス状に配置された多数のポケット１３が形成されている。このポケット１３には、後述するカメラモジュール（電子部品）２０（図３）がはみ出さないように収納され、かつ、カメラモジュール２０に設けられたフレキシブル基板(フレキシブル部材)４０の一端が上下左右前後方向に自由に変位可能な自由端となるようにカメラモジュール２０が収納される。
【００２１】
各ポケット１３は、それぞれ載置部１１と収納部１２とを備えて構成されている。そして、ポケット１３に収納されるカメラモジュール２０の向きを表す矢印が、図２に示すように各ポケット１３毎に表示される。
【００２２】
（カメラモジュール２０の構成）
次に、カメラモジュール２０の詳細な構成について図３を参照しながら説明する。
【００２３】
図３（ａ）はカメラモジュール２０の平面図であり、（ｂ）はカメラモジュール２０のフレキシブル基板４０側からの斜視図であり、（ｃ）はカメラモジュール２０のレンズ３４側からの斜視図である。カメラモジュール２０は薄型の直方体形状をした本体３０と、本体３０の上面から水平方向に突出するように本体３０に取り付けられた２枚のフレキシブル基板４０と、を備える。各フレキシブル基板４０は、本体３０側に形成される根元部３２と、先端側に形成される端部３３と、根元部３２と端部３３との間で屈曲可能に構成される屈曲部３１とを備えて構成されている。そして、２個のレンズ３４が本体３０の下面に２枚のフレキシブル基板４０と対応するように配置される。２枚のフレキシブル基板４０が屈曲部３１でレンズ３４側に屈曲している状態が図３（ｂ）に示されており、２枚のフレキシブル基板４０が屈曲せずまっすぐな状態が図３（ｃ）に示されている。
【００２４】
カメラモジュール２０は、他部品と接続するために本体３０の側面から突出する３種類の端子（突出部）３５を備える。
【００２５】
各ポケット１３は、図１（ａ）及び図２に示されるように、カメラモジュール２０の本体３０を、フレキシブル基板４０を上側にして載置するための載置部１１と、本体３０から引き出される２枚のフレキシブル基板４０を収納するための収納部１２と、を備える。ポケット１３の載置部１１により、カメラモジュール２０の本体３０の四隅が位置決めされる。
【００２６】
図１（ａ）には、ポケット１３が９行×６列＝５４個形成されている例を示しているが、これは一例にすぎず、ポケット１３の数は適宜変更できることは言うまでもない。
【００２７】
トレイ１０の収納安定性を考慮して、図１（ｂ）、（ｃ）に示すように、ポケットの最下部がトレイ１０の外枠の最下部と同じ高さであることが好ましい。
【００２８】
（トレイ１０の局所的な構造）
次に、トレイ１０の局所的な構造について、図４及び図５を参照しながら説明する。図４はトレイ１０の拡大平面図である。図５はトレイ１０の拡大断面図である。
【００２９】
図４には、前述したカメラモジュール２０が収納されたポケット１３と、カメラモジュール２０が収納されていないポケット１３とがそれぞれ一つ示されている。
【００３０】
ポケット１３の収納部１２には収容空間１２２が設けられている。この収容空間１２２は、フレキシブル基板４０が図３（ｂ）に示される屈曲状態であっても、図３（ｃ）に示される伸長状態であっても、フレキシブル基板４０の端部３３が収納部１２に接しないようにフレキシブル基板４０を収容可能に設けられた十分広い空間である。
【００３１】
図５には、一方のフレキシブル基板４０が屈曲状態であり、他方のフレキシブル基板４０が伸長状態である例が断面図として示されている。
【００３２】
図５に示すように、２枚のフレキシブル基板４０の片方が屈曲状態で、他方のフレキシブル基板４０が伸長状態である本体３０が載置部１１に載置されており、フレキシブル基板４０の端部３３が収納部１２に接しないように収容空間１２２に収納されている。
【００３３】
この屈曲状態のフレキシブル基板の端部３３が、すなわち、図３（ｂ）に示される屈曲状態の端部３３が、内部応力により、伸長状態に戻ろうとする場合においても、その端部３３が収納部１２に接しないように収容空間１２２に収納されている。
【００３４】
図４には、両方のフレキシブル基板４０が伸長状態である例が示されている。
【００３５】
カメラモジュール２０をポケット１３に収納する場合、本体３０の端子３５がトレイ１０の載置部１１に接しないように、載置部１１にはこれらの端子３５に対応する退避部１１２が複数設けられている。カメラモジュール２０が小さくてポケット１３から手で取り出しにくい場合、この退避部１１２が、ピンセットにより端子３５をつかむときのガイド部として機能する。
【００３６】
このように、カメラモジュール２０は、本体３０と、本体３０に取り付けられたフレキシブル基板４０と、を備える。本体３０は載置部１１に載置されながら四隅を載置部１１により位置決めされる。そして、本体３０の下面に配置された２個のレンズ３４が対応する凹部１１１に対向している。また、前述した図３および図４にも示すように、フレキシブル基板４０は屈曲部３１、根元部３２および端部３３を備えて構成されている。その端部３３近傍にコネクタなどが取り付けられ得る。
【００３７】
前述したように、フレキシブル基板４０は屈曲部３１において屈曲可能になっている。本体３０から収納部１２に向かって引き出される２枚のフレキシブル基板４０の根元部３２をそれぞれ支持するために、載置部１１と収納部１２との間に一対の支持部１２１が上方向へ突出するように設けられている。図５に示すように、収納部１２には、フレキシブル基板４０が屈曲状態であっても、伸長状態であっても、フレキシブル基板４０の端部３３が収納部１２に接しないようにフレキシブル基板４０を収容するための十分な空間がある収容空間１２２が設けられている。
【００３８】
図６はトレイ１０にカメラモジュール２０が収納されていない状態における拡大斜視図である。図６に示すように、トレイ１０の載置部１１には、カメラモジュール２０の本体３０を載置するための載置面１１４が形成されている。また図３を参照して前述したように、本体３０が、載置面１１４側に配置される２個のレンズ（光学部材）３４を有する。上記載置面１１４には、２個のレンズ３４に対応する瓢箪の形状をした凹部１１１が形成されている。凹部１１１は２個のレンズ３４がポケット１３の底面に直接当たらないように形成される。また、図６に示すように、カメラモジュール２０の２枚のフレキシブル基板４０をそれぞれ支持する前述した２つの支持部１２１が上方向に突出するようにトレイ１０の載置部１１と収納部１２との間に形成されている。
【００３９】
上記の構成により、カメラモジュール２０の本体３０が載置面１１４に直接載置されるようになる。フレキシブル基板４０は上方向に突出している支持部１２１に安定に支持される。また、凹部１１１を設けることにより、カメラモジュール２０のメイン部品であるレンズ３４がトレイ１０に当たって破損することを防止できる。
【００４０】
これにより、本実施形態におけるトレイ１０において、フレキシブル基板４０が、屈曲状態であっても、伸長状態であっても、ひいてはその中間状態であっても、その端部３３が収納部１２に接しないように収容空間１２２にフレキシブル基板４０を収納することができる。また、フレキシブル基板４０の屈曲状態を保持するためにフレキシブル基板４０を固定する部材も不要となるため、部品点数の減少および製品コストの低減にも寄与できる。
【００４１】
上記のような構成により、従来技術と比較すると、フレキシブル基板４０が図３（ｂ）に示される屈曲状態と図３（ｃ）に示される伸長状態とのいずれの状態になっていても、ひいては屈曲状態と伸長状態との間の中間状態になっているとしても、実施形態１におけるトレイ１０は、カメラモジュール２０のフレキシブル基板４０の端部３３に接することがない。このため、フレキシブル基板４０に余計な外的応力をかけることがなく、フレキシブル基板４０が破損することを防止できる。
【００４２】
また、実施形態１におけるトレイ１０においては、十分広い空間となる収容空間１２２がポケット１３の収納部に設けられている。このため、フレキシブル基板４０の形状の一部が設計変更されても、トレイ１０のポケット１３を設計変更する必要がない。
【００４３】
また、実施形態１におけるトレイ１０においては、そのポケット１３にカメラモジュール２０を収納する場合、本体３０とフレキシブル基板４０の根元部３２でのみカメラモジュール２０が位置決めされる。そして、フレキシブル基板４０の端部３３は、支持されない状態であり、ある程度自由に変位可能な自由端の状態になっている。そのため、フレキシブル基板４０の形状や寸法などが多少異なるカメラモジュール２０をもポケット１３に収納することができ、複雑な形状や任意な寸法のフレキシブル基板４０に共通して対応できるトレイ１０を提供することができる。
【００４４】
なお、カメラモジュール２０をトレイ１０に収納する例を説明したが、本発明はこれに限定されない。フレキシブル基板４０を備えた電子部品であれば本発明を適用することができる。また、フレキシブル基板４０を備えたカメラモジュール２０の例を挙げたが、本発明はこれに限定されない。フレキシブル性を有するフレキシブル部材を備えたカメラモジュールであれば本発明を適用することができる。
〔実施形態２〕
実施形態１では単一のトレイ１０について説明したが、積み重ねられた状態にあるトレイについては図７を用いて説明する。
【００４５】
図７はトレイ１０が積み重ねられた状態における断面図である。また図７には２段に積み重ねられた状態を示しているが、積み重ねられる段数は実際の使用状況に応じて適宜選択すればよい。
【００４６】
また、図７には上下２段のカメラモジュール２０の向きが反対となっているが、カメラモジュール２０の向きが同じになるように適宜設計できることは言うまでもない。
【００４７】
実施形態２も上記実施形態１と同様の効果を奏する。
〔実施形態３〕
図４に示されるカメラモジュール２０の本体３０から突出する端子３５（突出部）、本体３０の四隅に形成される角部３６は、トレイ１０（電子部品収納用トレイ）に接してトレイ１０を削る可能性がある。トレイ１０を削ってしまうと、トレイ１０の微小なゴミが発生してしまい、繊細なカメラモジュール２０に対しては好ましくない状況を生み出すことになる。微小なゴミでも繊細なカメラモジュール２０の隙間に入り込んでしまうとレンズ３４の黒キズ発生等に繋がる可能性がある為である。
【００４８】
その為、カメラモジュール２０の本体３０から突出する端子３５（突出部）を退避するための第１退避部１１２（退避部）、及び、本体３０の四隅の角部３６を退避するための第２退避部１１３（退避部）が、図４及び図６に示されるように、形成されており、トレイ１０の削り糟等のゴミをなるべく発生させないような工夫を施している。
【００４９】
すなわち、第１退避部１１２は端子３５に対して、第２退避部１１３は本体３０の角部３６に対して、トレイ１０とカメラモジュール２０とが接触したとしても、トレイ１０の削り糟等が、なるべく発生しないように十分な距離を取れるように設計されている。また、第２退避部１１３は、若干、緩やかなカーブを持たせるように湾曲させており、本体３０の角部３６が直接接触しにくいような工夫を施している。
【００５０】
更に、上記の構成によれば、本体の突出部（端子３５）がトレイに接しないうえ、微小なカメラモジュールの場合、この退避部はピンセットにより取り出すためのガイド部として兼用できる。
〔まとめ〕
本発明の態様１に係る電子部品収納用トレイ（トレイ１０）は、本体３０と前記本体３０に取り付けられたフレキシブル部材（フレキシブル基板４０）とを備える電子部品（カメラモジュール２０）を収納するための電子部品収納用トレイ（トレイ１０）であって、前記本体３０を載置するための載置部１１と、前記本体３０に取り付けられたフレキシブル部材（フレキシブル基板４０）を収納するための収納部１２と、を備え、前記収納部１２には、前記フレキシブル部材（フレキシブル基板４０）が屈曲状態であっても、伸長状態であっても、前記フレキシブル部材（フレキシブル基板４０）の端部３３が当該収納部１２に接しないように前記フレキシブル部材（フレキシブル基板４０）を収容可能な収容空間１２２が設けられている構成である。
【００５１】
上記の構成によれば、フレキシブル基板が屈曲状態と伸長状態とのいずれの状態、ひいてはその中間状態になっているとしても、電子部品収納用トレイは、電子部品のフレキシブル部材の端部に接することないため、フレキシブル部材に余計な外的応力をかけることがなく、フレキシブル部材が収納中、輸送中の破損することを防止できる。
【００５２】
本発明の態様２に係る電子部品収納用トレイ（トレイ１０）は、上記の態様１において、前記本体３０から前記収納部１２に向かって引き出されるフレキシブル部材（フレキシブル基板４０）を支持するために前記載置部１１と前記収納部１２との間に設けられた支持部１２１をさらに備える構成としてもよい。
【００５３】
上記の構成によれば、電子部品のフレキシブル部材が安定的に支持される。
【００５４】
本発明の態様３に係る電子部品収納用トレイ（トレイ１０）は、上記の態様１、２において、前記載置部１１には、前記本体３０から突出する突出部（端子３５）又は前記本体３０の角部３６を退避するための退避部（第１退避部１１２、第２退避部１１３）が形成されている構成としてもよい。
【００５５】
上記の構成によれば、本体の突出部および角部がトレイに接しないうえ、微小なカメラモジュールの場合、この第１退避部１１２はピンセットにより取り出すためのガイド部としても兼用できる。
【００５６】
本発明の態様４に係る電子部品収納用トレイ（トレイ１０）は、上記の態様１において、前記載置部１１が前記本体３０を載置する載置面１１４を有し、前記本体３０が前記載置面１１４側に配置される光学部材（レンズ３４）を有し、前記載置面１１４には、前記光学部材（レンズ３４）に対応する凹部１１１が形成されている構成としてもよい。
【００５７】
上記の構成によれば、カメラモジュールのメイン部品であるレンズがトレイに当たって破損することを防止できる。
【００５８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００５９】
１０      トレイ（電子部品収納用トレイ）
２０      カメラモジュール（電子部品）
３０       本体
４０      フレキシブル基板(フレキシブル部材)
１１      載置部
１２      収納部
１３       ポケット
３１      屈曲部
３２      根元部
３３      端部
３４       レンズ（光学部材）
３５       端子（突出部）
３６      角部
１１１      凹部
１１２      第１退避部（退避部）
１１３      第２退避部（退避部）
１１４      載置面
１２１      支持部
１２２      収容空間
【図１】
2019026320.tif 000003
【図２】
2019026320.tif 000004
【図３】
2019026320.tif 000005
【図４】
2019026320.tif 000006
【図５】
2019026320.tif 000007
【図６】
2019026320.tif 000008
【図７】
2019026320.tif 000009
【図８】
2019026320.tif 000010
【図９】
2019026320.tif 000011